(57)【要約】【課題】苗床の所定位置に簡単且つ正確に種子を投下させて適正に播種させる播種装置を提供することである。【解決手段】    播種された種子Ｑが保持される苗床と、上記苗床上にスライド自在に配置した種子投入器具３とからなり、上記種子投入器具３が支持板３２と、上記支持板３２の上にスライド自在に載置したスライド板３１とを備え、上記支持板３２が水平な板本体３２ａと、上記板本体３２ａに形成されて上下に貫通する種子落下用の孔３２ｂと、上記板本体３２ａの下面に設けられて上記播種落下用の孔（３２ｂ）から上記苗床の播種位置に向けて種子（Ｑ）を送り出すガイド（Ｇ）とで構成され、上記スライド板３１が底板３１ａと、上記底板３１ａの外周に起立した矩形の枠体３４と、上記底板３１ａに形成されて上記スライド板３１のスライド時に上記種子落下用の孔３２ｂに選択的に連通又は遮断する孔３１ｂとで構成されていることを特徴とする。【選択図】  図１
2020005508.tif 000002
【特許請求の範囲】
【請求項１】
播種された種子が保持される苗床と、上記苗床上にスライド自在に配置した種子投入器具（３）とからなり、
上記種子投入器具（３）が支持板（３２）と、上記支持板（３２）の上にスライド自在に載置したスライド板（３１）とを備え、
上記支持板（３２）が水平な板本体（３２ａ）と、上記板本体（３２ａ）に形成されて上下に貫通する種子落下用の孔（３２ｂ）と、上記板本体（３２ａ）の下面に設けられて上記播種落下用の孔（３２ｂ）から上記苗床の播種位置に向けて種子（Ｑ）を送り出すガイド（Ｇ）とを有し、
上記スライド板（３１）が底板（３１ａ）と、上記底板（３１ａ）に形成されて上記スライド板（３１）のスライド時に上記種子落下用の孔（３２ｂ）に選択的に連通又は遮断する孔（３１ｂ）とで構成されていることを特徴とする播種装置。
【請求項２】
上記苗床が種子を保持する相対向する一対の吸水性、保水性を有するシートを備えた播種ホルダー（２）、種子を収容するポットを備えた播種用トレー又は種子を収容するスリットを形成した播種用マットからなる請求項１に記載の播種装置。
【請求項３】
発芽容器（１）内に取り外し自在に吊り下げた播種ホルダー（２）と、上記発芽容器（１）の開口部にスライド自在に載置した種子投入器具（３）とからなり、
上記播種ホルダー（２）を相対向する一対の吸水性、保水性を有するシート（４ａ）、（４ｂ）を当接させて部分的に接合した給水シート（４）と、上記給水シート（４）を保持した吊り下げ具（５）とで構成させ、
上記種子投入器具（３）が支持板（３２）と、上記支持板（３２）の上にスライド自在に載置したスライド板（３１）とを備え、
上記支持板（３２）が水平な板本体（３２ａ）と、上記板本体（３２ａ）に形成されて上下に貫通する複数の種子落下用の孔（３２ｂ）と、上記板本体（３２ａ）の下面に上記種子落下用の孔（３２ｂ）に連通させながら上記給水シート（４）の所定位置に向けて突設させた複数の裁頭円錐状の筒体からなるガイド（３７）とで構成され、
上記スライド板（３１）が底板（３１ａ）と、上記底板（３１ａ）に形成されて上記スライド板（３１）のスライド時に上記種子落下用の孔（３２ｂ）に選択的に連通又は遮断する孔（３１ｂ）とで構成されていることを特徴とする播種装置。
【請求項４】
上記板本体（３２ａ）の前後両側にガイド枠（３３）、（３３）を起立させ、上記底板（３１ａ）の外周に枠体（３４）を起立させている請求項１、請求項２又は請求項３のいずれか一項に記載の播種装置。
【請求項５】
上記板本体（３２ａ）の側面側に板状のばね受け（３５）を起立し、上記ばね受け（３５）と上記スライド板（３１）の右側枠体（３４）との間に復帰スプリング（Ｓ）を介在させている請求項１、請求項２、請求項３又は請求項４のいずれか一項にに記載の播種装置。
【請求項６】
上記各シート（４ａ）、（４ｂ）が不織布、水に溶けにくい紙、又はウレタンフォームで成形され、一方のシート（４ｂ）の上部を他方のシート（４ａ）の上部より長くしていることを特徴とする請求項３、４又は５のいずれか一項に記載の播種装置。
【請求項７】
上記ガイド（Ｇ）が裁頭円錐状の筒体（３７）、先端が先細の半割筒体（４７）、波型の板（５７）、二枚のガイド板（６７）、又は一枚の板（７７）で構成されている請求項１から請求項６のいずれか一項に記載の播種装置。
【発明の詳細な説明】
【技術分野】
【０００１】
本発明は、水菜、小松菜、リーフレタス、サラダ菜、その他の葉菜植物の水耕栽培に適するばかりでなく、特にほうれん草の発芽用にも利用できる播種装置に関するものである。
【背景技術】
【０００２】
近年、例えば、種子を均一に一つ一つ簡単に播種させる市販の播種器具としてポットル（登録商標）を利用することが考えられる。
このポットルは、特許文献１に示すように、大径の孔を備えた固定板と、この固定板上にスライド自在に配設され且つ上記の大径の孔に選択的に開口又は遮断する複数の小孔を備えたスライド板とを利用したものである。
そして、ふるい式にスライド板をスライドした時スライド板上に載せられた多数の種子を一つ一つ小孔から大径の孔を介して均一に落下させて下方の苗床に播種させるものであるから、このスライド板を上記特許文献１に示す給水シート上に配置すれば、スライド板の孔から給水シートの上部隙間に種子を落下させて自動的に種子を一つ一つ均一に等間隔で播種させ、播種作業の向上を図ることができる。
【先行技術文献】
【特許文献】
【０００３】
【特許文献１】特開平８−３２２３２６号公報（要約、図１、図３参照）
【発明の概要】
【発明が解決しようとする課題】
【０００４】
しかしながら、この特許文献１に示す播種器具を利用する場合、次のような不具合がある。
すなわち、特許文献１に示す播種器具では、スライド板の孔から種子を落下させた時、特にこのスライド板と苗床との距離が離れている時にはこの種子が飛散してしまう恐れがあり、その改善が望まれている。
そこで、本発明の目的は、苗床の播種位置に簡単且つ正確に種子を投下させて適正に播種させる播種装置を提供することである。
【課題を解決するための手段】
【０００５】
上記の目的を達成させるため、本発明の播種装置は、播種された種子が保持される苗床と、上記苗床上にスライド自在に配置した種子投入器具とからなり、上記種子投入器具が支持板と、上記支持板の上にスライド自在に載置したスライド板とを備え、上記支持板が水平な板本体と、上記板本体に形成されて上下に貫通する種子落下用の孔と、上記板本体の下面に設けられて上記播種落下用の孔から上記苗床の播種位置に向けて種子を送り出すガイドとで構成され、上記スライド板が底板と、上記底板に形成されて上記スライド板のスライド時に上記種子落下用の孔に選択的に連通又は遮断する孔とで構成されていることを特徴とする。
【発明の効果】
【０００６】
本発明によれば、次の効果を達成できる。
Ａ）支持板に設けられて上記播種落下用の孔から上記苗床の播種位置に向けて種子を送り出すガイドを苗床の所定の播種位置に対向して配置できる。
従って、スライド板の孔から種子を落下させた時、種子投入器具と苗床との間に距離があってもこの種子をガイドを介して必ず苗床の播種位置に簡単且つ正確に投下させて適正に播種させることができる。
Ｂ）種子はスライド板に形成したそれぞれの孔からガイドを介して投下されるので苗床には孔同士の配列と間隔に対応して均一に播種される。
Ｃ）同様に、種子が苗床の外に飛散するが防止され、種子の無駄を防止でき、飛散した種子を拾い上げる等の無駄な作業をする必要が無くなる。
Ｄ）苗床が種子を保持する相対向する一対の吸水性、保水性を有するシートを備えた播種ホルダーである場合、ガイドをシート間の隙間に挿入させておくことができ、その結果、種子投入器具を水平にスライドすると一方のシートがガイドで押されて傾斜し、シート間の隙間が拡げられるので種子を確実に隙間内に落下させて正確に播種できる。
Ｅ）この播種ホルダーを苗床として利用すると播種から発芽まで行え、しかも発芽させた苗を維持したまま、例えば、他の栽培ベットの定植板に持って行って吊り下げれば移植できるので、移植時に苗に損傷を与えないで済み、移植作業の向上も図れる。
【図面の簡単な説明】
【０００７】
【図１】本発明の第一の実施の形態に係る播種装置の分解斜視図である。
【図２】播種装置の縦断正面図である。
【図３】播種装置の縦断側面図である。
【図４】図３の一部拡大縦断面図である。
【図５】種子投入器具を水平にスライドさせて一方のシート上部を撓ませて二枚のシート間のの隙間を拡げている状態を示す播種装置の一部拡大縦断正面図である。
【図６】スライド板をスライドさせて種子を二枚のシート間の隙間に投下させている状態を示す播種装置の一部拡大正面図である。
【図７】播種ホルダーの斜視図である。
【図８】播種ホルダー縦断正面図である。
【図９】（Ａ）は第二の実施の形態に係る播種装置の一部拡大縦断正面図、（Ｂ）は一部拡大斜視図である。
【図１０】（Ａ）は第三の実施の形態に係る播種装置の一部拡大縦断正面図、（Ｂ）は一部拡大斜視図である。
【０００８】
【図１１】（Ａ）は第四の実施の形態に係る播種装置の一部拡大縦断正面図、（Ｂ）は一部拡大斜視図である。
【図１２】（Ａ）は第五の実施の形態に係る播種装置の一部拡大縦断正面図、（Ｂ）は一部拡大斜視図である。
【発明を実施するための形態】
【０００９】
以下に本発明の各実施の形態に係る播種装置を図１〜図１２を参照しながら説明する。
【００１０】
本発明は、水菜、小松菜、リーフレタス、サラダ菜、その他の葉菜植物の水耕栽培に適する播種装置に関し、特にほうれん草の播種および発芽用にも利用できる播種装置に関するものである。
【００１１】
葉菜植物の水耕栽培では播種―発芽―定植の工程を経て収穫の工程に進むが、図示した本発明の各実施の形態に係る播種装置はこのうちの播種から発芽までの工程に利用するのである。
【００１２】
本発明における播種装置の基本構造は、播種された種子が保持される苗床と、苗床上にスライド自在に配置した種子投入器具とからなるものである。
【００１３】
本発明の第一の実施の形態に係る播種装置では、苗床としては図１〜図８に示す播種ホルダー２を使用しているが、例えば、特開平８−２９８８１７号公報に開示されているような種子を収容するポットを備えた播種用トレーでも良く、又は特開２０１６−１９２９１２号公報に開示されているような種子を埋め込む切り込みを設けたウレタン製の播種用マットであっても良い。
【００１４】
次に図１〜図８に示す第一の実施の形態の播種装置を詳細に説明する。
【００１５】
この実施の形態に係る播種装置Ａは、発芽容器１内に取り外し自在に吊り下げた播種ホルダー２と、発芽容器１の開口部にスライド自在に載置した種子投入器具３とからなるものである。
播種ホルダー２は相対向する一対の吸水性、保水性を有するシート４ａ、４ｂを当接させて部分的に接合した給水シート４と、給水シート４を保持した吊り下げ具５とで構成されている。
種子投入器具３は支持板３２と、支持板３２の上にスライド自在に載置したスライド板３１とで構成されている。
支持板３２は水平な板本体３２ａと、板本体３２ａの前後両側に起立したガイド枠３３、３３と、板本体３２ａに形成されて上下に貫通する複数の種子落下用の孔３２ｂと、板本体３２ａの下面に設けられて上記播種落下用の孔３２ｂから給水シート４の所定位置、例えば、播種位置又は播種位置に近い位置に向けて突設させた複数の裁頭円錐状の筒体３７からなるガイドＧとで構成されている。
各ガイド枠３３の下端には図３に示すようにガイド片３３ｂが下方に向けて形成されている。
ガイドＧの中心には下方に向けて収斂する先細の長孔３７ａが形成され、この長孔３７ａの上部は上記種子落下用の孔３２ｂに直接連通している。
スライド板３１は底板３１ａと、底板３１ａの外周に起立した枠体３４と、底板３１ａに形成されて種子落下用の孔３２ｂに選択的に連通又は遮断される多数の孔３１ｂとで構成されている。
従って、底板３１ａ上には外周の枠体で規制されて多数の種子がこぼれることなく収容でき、篩のようにスライド板３１を単独で、又は支持板３２と一緒に揺らした時、或いは手でかき混ぜた時任意の種子が孔３１ｂ内に一つづつ落下し、次いでこの孔３１ｂが支持板３２側の種子落下用の孔３２ｂに連通したとき孔３１ｂ内の種子が種子落下用の孔３２ｂに落下するようになっている。
この場合、上記の種子落下用の孔３２ｂの直径をスライド板３１側の孔３１ｂの直径より大きくして孔３１ｂを種子落下用の孔３２ｂに位置合わせし易くし、併せて種子を落下させ易いようにしている。
更に、支持板３２における板本体３２ａの右側面に板状のばね受け３５を起立し、左側面に板状のストッパー３３ａを起立させている。
また、ばね受け３５とスライド板３１の右側枠体３４との間に復帰スプリングＳを介在させている。
この場合、ばね受け３５にボルト３６が水平に取付けられ、このボルト３６にスライド板３１の右側枠体３４が移動自在に挿入され、更にボルト３６の外周に復帰スプリングＳを挿入している。
そして、復帰スプリングＳで左側に押し込まれたスライド板３１は上記のストッパー３３ａで支えられるようになっている。
播種ホルダー２は図１、図７、図８に示すように相対向する一対の吸水性、保水性を有するシート４ａ、４ｂを当接させてａ点を部分的に圧着等で接合した給水シート４と、給水シート４を保持した吊り下げ具５とで構成させている。
即ち、本発明の播種装置Ａでは、各シート４ａ、４ｂ間でａ点より上方の隙間Ｒに葉菜植物の種子Ｑをスライド板３１の孔３１ｂと支持板３２の種子落下用の孔３２ｂとガイドＧの長孔３７ａとを介して落下させて播種させ、この状態で吊り下げ具５を介して給水シート４を発芽容器１内に吊り下げるものである。
吊り下げ具５は支持板５ａと、支持板５ａの側面から突出して上記給水シート４を貫通する一つ又は複数の突起５ｂと、支持板５ａの上端に設けた引掛け部５ｃとで構成されている。
【００１６】
播種ホルダー２は後述するように発芽容器１内に吊り下げて播種から発芽までの栽培工程に利用し、次いで発芽した葉菜植物の苗を保持したまゝ別の栽培ベット側の定植板に吊り下げて移植させるものである。
但し、最初から養液を収容した栽培ベットの定植板に吊り下げ、この栽培ベットで播種―発芽―定稙までの一連の栽培工程に利用することも出来る。この場合は、定植後種子投入器具３を取外して栽培ベットで収穫までの工程に利用しても良い。
【００１７】
播種ホルダー２を取付ける発芽容器１には対向する両側内壁に肉厚な段部６、６が長手方向に沿って形成されており、各段部６、６上にそれぞれに任意の間隔を置いて複数の溝７が形成され、各溝７に引掛け部５ｃを引掛けて給水シート４を吊り下げるようになっている。
上記の溝７は発芽容器１の側壁の上端１ａに形成しても良い。
上記給水シート４を構成させる二枚の各シート４ａ、４ｂは吸水性、保水性を有する材料、例えば、不織布、水に溶けにくい紙、又はウレタンフォームで成形されている。
要するに、シート４ａ、４ｂは溶液を保持して水分、養分、溶存酸素を種子に供給するものであればよい。
この場合、一方のシート４ｂの上部を他方のシート４ａの上部より長くしている。
これは、上部が長い他方のシート４ｂの上端を図５、図６で後述するようにスライド板３１の下部に設けたガイドＧで水平方向に押すことでシート４ａ、４ｂ間の上部隙間Ｒ（図５参照）を拡げ、上方から種子Ｑを隙間Ｒ間に簡単に落下させて播種作業を容易にさせる為である。
上記引掛け部５ｃは図７に示すように支持板５ａの上端に水平に取り付けたロッド５ｄで構成させ、このロッド５ｄの両端部を上記発芽容器１の溝７に嵌合して給水シート４を吊り下げるようになっている。
この引掛け部５ｃは上記支持板５ａの上端両側に張出すフック（図示せず）で構成しても良く、要は給水シート４を発芽容器１内に吊り下げできるようになっていればよい。
次に播種から発芽までの工程を説明する。
図１に示すように、複数の播種ホルダー２を吊り下げ具５を溝７に引掛けながらそれぞれ発芽容器１内に吊り下げておき、更に図１に示すように、発芽容器１の開口部に、即ち、側壁の上端１ａ上に種子投入器具３をガイド片３３ｂを介してスライド自在に取付けておく。
この状態では、図４に示すように、スライド板３１側の孔３１ｂは支持板３２側の種子落下用の孔３２ｂとは連通しておらず、スライド板３１の底板３１ａ上に多数の種子が収容されている。
また、ガイドＧの下端は一方のシート４ｂの上端部４ｃの側部、言い換えればシート４ａ、４ｂ間の隙間Ｒ又はその近辺の播種位置に対向している。
この場合、ガイドＧは裁頭円錐状の筒体３７から構成されているので発芽容器１に種子投入器具３を取付けた時このガイドＧの先細の先端をシート４ｂの上端部４ｃの側部に差し込み易くなっている。
次に、この状態で図５に示すようにガイド片３３ｂを介して種子投入器具３全体を発芽容器１の上端１ａ上で矢印Ｈ方向、即ち、横方向にスライドさせる。
この時、ガイドＧの側面で上端部が長い一方のシート４ｂの上端部４ｃを横方向に押してシート４ａ、４ｂ間の上方の隙間Ｒを拡げる。
次に、図６に示すように、手動でスライド板３１を復帰スプリングＳに抗して矢印Ｋ方向、即ち、横方向にスライドさせ、スライド板３１の孔３１ｂを支持板３２側の種子落下用の孔３２ｂに連通させる。
この時、予め孔３１ｂに落とし込まれている種子Ｑ、又はスライド板３１をスライドした時孔３１ｂに落ち込んだ種子Ｑが種子落下用の孔３２ｂとガイドＧの長孔３７ａを通過して一つ一つシート４ａ、４ｂ間の隙間Ｒに落下し、この隙間Ｒ内に自動的に播種される。
この際、二枚のシート４ａ、４ｂは点ａの位置で当接しているので隙間Ｒ内の種子Ｑは発芽容器１の底に落下するのが防止され、播種された位置で保持される。    
また、スライド板３１の孔３１ｂは前後に等間隔で成形されているので、隙間Ｒに落下した種子Ｑは前後方向に沿って等間隔に播種され、種子同士若しくは隙間Ｒ内で発芽した時の苗同士の干渉、損傷が防止され、育成管理も容易となる。
上記のように播種された後にスライド板３１のスライド操作を停止すると、スライド板３１は復帰スプリングＳの復帰力で図４に示す元の位置に戻される。
なお、復帰スプリングＳを利用せず、手動のみでスライド板３１をスライドさせても良い。
また、本実施の形態において、スライド板３１は上記したように矢印Ｋ方向、即ち、横方向にスライドさせているが、前後方向にスライドさせる構成にしても良い。
この場合は、復帰スプリングＳを前後方向に向けて設けるか、又は復帰スプリングＳの使用をやめて手動でスライドさせればよい。
更に、スライド板３１の横方向の寸法は、発芽容器１の横方向の寸法に比べて、例えば、二分の一の寸法ににして播種操作を二度に分けて行っても良い。このようにすることで、種子投入器具３を軽量化して播種作業を容易にできる。
次いで、上記第一の実施の形態に係る播種装置Ａでは、播種ホルダー２を発芽容器１に吊り下げている状態で給水シート４、言い換えれば、一対の各シート４ａ、４ｂに所定量の水を振り掛けて含浸させ、この水を種子Ｑの表面に付与させる。
次いで、発芽容器１の開口部に蓋を被せて倉庫などの部屋に保管せ、葉菜植物の適正に沿って遮光、保温、酸素管理を行うと種子Ｑから根が出て一対のシート４ａ、４ｂ間の隙間から下方に延び出し、次に子葉が延び出し発芽を達成させることが出来る。
同じくこの実施の形態に係る播種装置Ａでは上記の工程で種子Ｑを播種、発芽させるものであるが、更に発芽した苗を育成する場合は別の栽培ベットの定植板に移植させる。
この場合は、上記し多様に苗が出ている播種ホルダー２を発芽容器１から一つづつ引き揚げ、そのまま養液が収用されている別の栽培ベットの定植板に吊り下げて移植させ、この栽培ベットで栽培まで育成させるものである。
【００１８】
次に他の第二、第三、第四、第五の実施の形態に係る播種装置Ａについて説明する。
【００１９】
これらの他の実施の形態に係る播種装置はＡはガイドＧの構成を変更したもので、その他の基本的な構成、効果は上記第一の実施の形態に係る播種装置と同じである。
【００２０】
図９は本発明の第二の実施の形態の播種装置Ａを示している。
【００２１】
この実施の形態に係る播種装置ＡのガイドＧは先端が先細の半割筒体４７と、この半割筒体の内周に形成されて支持板３２に形成した孔４７ｂに連通するガイド溝４７ａとで構成されている。
【００２２】
このガイドＧも支持板３２下面に設けられてシート４ｂの上端４ｃを押しながら播種落下用の孔４７ｂからガイド溝４７ａを介して給水シート４の隙間Ｒ内における播種位置に向けて種子Ｑを滑らせながら送り出すものである。
【００２３】
図１０は本発明の第三の実施の形態の播種装置Ａを示している。
【００２４】
この実施の形態に係る播種装置ＡのガイドＧは波型の板５７と、この板５７の内周に形成されて支持板３２に形成した孔５７ｂに連通する複数のガイド溝５７ａとで構成されている。
【００２５】
このガイドＧも支持板３２下面に設けられてシート４ｂの上端４ｃを押しながら播種落下用の孔５７ｂからガイド溝５７ａを介して給水シート４の隙間Ｒ内における播種位置に向けて種子Ｑを滑らせながら送り出すものである。
【００２６】
図１１は本発明の第四の実施の形態の播種装置Ａを示している。
【００２７】
この実施の形態に係る播種装置ＡのガイドＧは二枚のガイド板６７、６７と、このガイド板６７、６７間に形成されて支持板３２に形成した孔４７ｂに連通する隙間６７ａとで構成されている。
【００２８】
このガイドＧも支持板３２下面に設けられてシート４ｂの上端４ｃを押しながら播種落下用の孔６７ｂから隙間６７ａを介して給水シート４の隙間Ｒ内における播種位置に向けて種子Ｑを滑らせながら送り出すものである。
【００２９】
次に、図１２は本発明の第五の実施の形態の播種装置Ａを示している。
【００３０】
この実施の形態に係る播種装置ＡのガイドＧは一枚の板７７と、支持板３２に形成した孔７７ｂに連通するガイド面７７ａとで構成されている。
【００３１】
板７７は下端が孔７７ｂ側へ突出するよに傾斜しているのが好ましいが、支持板３２の板本体３２ａに対して垂直になっていても良い。
【００３２】
このガイドＧも支持板３２下面に設けられてシート４ｂの上端４ｃを押しながら播種落下用の孔７７ｂからガイド面４７ａを介して給水シート４の隙間Ｒ内における播種位置に向けて種子Ｑを滑らせながら送り出すものである。
【００３３】
以上のように、本発明の播種装置によれば、苗床の播種位置又はその近辺に向けて突設させたガイドＧが設けらているのでこのガイド３７を苗床の播種位置に対向して配置できる。
従って、スライド板３１の孔３１ｂから種子Ｑを落下させた時、種子投入器具３と苗床との間に距離があってもこの種子ＱをガイドＧを介して必ず苗床の播種位置に簡単且つ正確に投下させて適正に播種させることができる。
しかも、種子Ｑはスライド板３１に形成したそれぞれの孔３１ｂからガイドＧを介して投下されるので苗床には孔同士の配列と間隔に対応して均一に播種される。
同様に、種子Ｑが苗床の外に飛散するが防止され、種子Ｑの無駄を防止でき、飛散した種子Ｑを拾い上げる等の無駄な作業をする必要が無くなる。
苗床が種子Ｑを保持する相対向する一対の吸水性、保水性を有するシート４ａ、４ｂを備えた播種ホルダー２である場合、ガイド３７をシート４ａ、４ｂ間の隙間Ｒに挿入させておくことができ、その結果、種子投入器具３を水平にスライドすると一方のシート４ｂがガイドＧで押されて傾斜し、シート間の隙間Ｒが拡げられるので種子を確実に隙間Ｒ内に落下させて正確に播種できる。
しかも、この播種ホルダー２を苗床として利用すると播種から発芽まで行え、しかも発芽させた苗を維持したまま、例えば、他の栽培ベットの定植板に持って行って吊り下げれば移植できるので、移植時に苗に損傷を与えないで済み、移植作業の向上も図れる。
【符号の説明】
【００３４】
１  発芽容器
２  播種ホルダー
３  種子投入器具
４  給水シート
４ａ、４ｂ  シート
５  吊り下げ具
３１  スライド板
３１ａ  底板
３１ｂ  孔
３２  支持板
３２ａ  板本体
３２ｂ  種子落下用の孔
３３  ガイド枠
３４  枠体
３５  ばね受け
３７  筒体
３７ａ  長孔
４７  先細の半割筒体
５７  波型の板
６７  二枚のガイド板
７７一枚の板
Ｇ  ガイド
Ｓ  復帰スプリング
Ｑ  種子
Ｒ  隙間
【図１】
2020005508.tif 000003
【図２】
2020005508.tif 000004
【図３】
2020005508.tif 000005
【図４】
2020005508.tif 000006
【図５】
2020005508.tif 000007
【図６】
2020005508.tif 000008
【図７】
2020005508.tif 000009
【図８】
2020005508.tif 000010
【図９】
2020005508.tif 000011
【図１０】
2020005508.tif 000012
【図１１】
2020005508.tif 000013
【図１２】
2020005508.tif 000014